(57)【要約】【課題】パッキンの据え付け作業が容易に行えるゲートの開閉機の気密構造を提供する。【解決手段】地上に設置される筐体２と、筐体２内から下方に垂設されて地下のゲートＧに連結し、上端側のねじ部３ａを介した送りねじ機構５によって上下動するねじ棒３と、ねじ棒３の下端側の軸胴部３ｂ周りを気密するパッキン４と、を備えた開閉機１において、パッキン４を筐体２の内部に位置させる気密構造とした。【選択図】      図１
2005314892.tif 000002
【特許請求の範囲】
【請求項１】
地上に設置される筐体と、
該筐体内から下方に垂設されて地下のゲートに連結し、上端側のねじ部を介した送りねじ機構によって上下動するねじ棒と、
該ねじ棒の下端側の軸周りを気密するパッキンと、
を備えたゲートの開閉機において、
前記パッキンを前記筐体内に位置させたことを特徴とするゲートの開閉機の気密構造。
【請求項２】
前記筐体に、前記パッキンを点検するための点検窓を設けたことを特徴とする請求項１に記載のゲートの開閉機の気密構造。
【請求項３】
前記ねじ棒の下端側を支持し、かつ前記パッキンを内嵌した軸受部材を地上に設置する構成としたことを特徴とする請求項１または請求項２に記載のゲートの開閉機の気密構造。
【発明の詳細な説明】
【技術分野】
【０００１】
本発明は、上下水道施設等の水路に設置されるゲートの開閉機の気密構造に関するものである。
【背景技術】
【０００２】
一般に下水道は気密に構成されていて殆ど臭気が外部に漏れることはない。しかし水路の途中に流量制御用のゲートが設置されている場合、このゲートは地上の開閉機によって送りねじ機構を介して昇降する構造となっていることから、その送りねじ機構を構成するねじ棒に沿って臭気や腐食性ガスあるいは湿気が開閉機内や地上に漏れやすいという問題がある。さらに送りねじの摩擦を軽減させるためのグリースが水路に落下すると、水路内の流体を汚染することがあり浄水場ではきわめて大きな問題となる。下水のポンプ場や処理場では豪雨時や台風時等に水位が開閉機内まで上昇しグリースが接水する事により乳化しその機能を損なうこともある。また、筐体と台座間、台座とスラブ間は特別のシール処理を施しているわけではないので、ここから流体が噴出してくる可能性もあり、衛生上問題となる。このため、従来からねじ棒周りをパッキンで気密する処理が行われている（例えば特許文献１参照）。
【特許文献１】実公昭６２−３３７６８号公報（第２頁、第２図）
【発明の開示】
【発明が解決しようとする課題】
【０００３】
前記特許文献１をはじめ従来では、パッキンが地下のゲート室内に設置される構造となっている。しかし、パッキンの据え付け、メンテナンスを行うに際しては次のような問題があった。
（１）水路内の水を考慮しての作業となるので作業効率が悪く、充分な安全対策が必要となる
（２）上向きの作業になるので作業がしづらい
（３）梯子等の足場を用意する必要がある
（４）パッキンや付随する固定具等を水路内に落とすおそれがある
【０００４】
本発明は、以上のような問題を解決するために創作されたものであり、パッキンの据え付け作業が容易に行えるゲートの開閉機の気密構造を提供することを目的としている。
【課題を解決するための手段】
【０００５】
前記課題を解決するため、本発明は、地上に設置される筐体と、該筐体内から下方に垂設されて地下のゲートに連結し、上端側のねじ部を介した送りねじ機構によって上下動するねじ棒と、該ねじ棒の下端側の軸周りを気密するパッキンと、を備えたゲートの開閉機において、前記パッキンを前記筐体内に位置させる気密構造とした。当該構造によれば、水路内の水を考慮することなくパッキンの据え付け作業を容易に行え、特に従来の場合のように上向きの姿勢での作業とはならないため、作業が迅速に行える。また、足場等を設ける必要がなく、地上部での据え付け作業となるので安全性が向上する。さらに、パッキンや付随する固定具等を水路内に落とすこともない。
【０００６】
また、前記筐体に、前記パッキンを点検するための点検窓を設ける構成とすれば、パッキンのメンテナンス性がより向上する。
【０００７】
さらに、前記ねじ棒の下端側を支持し、かつ前記パッキンを内嵌した軸受部材を地上に設置する構成とすれば、開閉機の筐体の内部における軸受部材の取り付け構造が簡単となり、開閉機の組み付け性に優れた気密構造となる。また、パッキンの据え付け等に際し、作業者は下向きの姿勢となるので作業性がより向上する。
【発明の効果】
【０００８】
本発明によれば、水路内の水を考慮することなくパッキンの据え付け作業を容易に且つ安全に行える。
【発明を実施するための最良の形態】
【０００９】
図１は本発明の気密構造を適用したゲートの開閉機の側断面説明図、図２はパッキン周りの詳細説明図である。符号Ｓはスラブ、符号ＴはスラブＳ上に敷設されるモルタル等の台座を示す。開閉機１は、地上（この場合、台座Ｔを指す）に設置される筐体２と、この筐体２の内部から下方に垂設されて地下のゲートＧに連結し、上端側のねじ部３ａを介した送りねじ機構５によって上下動するねじ棒３と、このねじ棒３の下端側の軸周り（軸胴部３ｂ周り）を気密するパッキン４とを備えている。ゲートＧは上水路或いは下水路等の水路に設置され、その左右縁が図示しない戸当りによって上下方向に移動可能にガイドされている。
【００１０】
筐体２の内部には雌ねじを形成した雌ねじ部材６が、ねじ部３ａの軸方向回りに回転可能に、かつ該軸方向に移動不能に装嵌されており、ねじ部３ａがこの雌ねじ部材６に螺合することで前記した送りねじ機構５が構成される。雌ねじ部材６が手動式のハンドルＨ、或いはモータＭ等の駆動力を受けて図示しない伝達機構を介して正逆回転することで、ねじ棒３が上下動してゲートＧが昇降する。ねじ棒３は前記したように上端側がねじ部３ａとして形成され、下端側はパッキン４と摺接する気密部となるため、平滑な周面を有する軸胴部３ｂとして形成されている。軸胴部３ｂはスラブＳ及び台座Ｔに形成された貫通孔を挿通して地下に垂設され、その下端は図示しないジョイント部材を介して（場合によっては直接）ゲートＧに連結する。
【００１１】
パッキン４は環状に形成され、軸胴部３ｂ周りを封止することで地下側の臭気や腐食性ガス、湿気等を開閉機の内部や地上に漏らさないように遮断する。本発明はこのパッキン４を筐体２の内部に位置させた、つまり地上側に位置させたことを主な特徴とする。従来のように地下側ではなく、開閉機１の筐体２の内部にパッキン４を設けることで、（１）水路内の水を考慮することなくパッキン４の据え付け作業を容易に行え、特に従来の場合のように上向きの姿勢での作業とはならないため、作業が迅速に行える、（２）足場等を設ける必要がなく、地上部での据え付け作業となるので安全性が向上する、（３）パッキン４や付随する固定具、例えばボルト等を水路内に落とすという問題がない、等の効果が奏される。
【００１２】
なお、図２に示すように、筐体２においてパッキン４を点検するための点検窓７を設ける構成とすれば、パッキン４のメンテナンス性がより向上することとなる。点検窓７の具体的構造としては特に限定されるものではなく、公知構造の開閉蓋７ａを有するものなど適宜に選択され得る。
【００１３】
また本実施形態では、パッキン４を軸受部材８に取り付けた構成としている。軸受部材８は、ねじ棒３の下端側、つまり軸胴部３ｂを支持する軸受孔部８ａと、軸受孔部８ａよりも大径でパッキン４を収納するためのパッキン収納孔部８ｂとを有した部材であり、軸受孔部８ａの形成側が地上（台座Ｔ）に載置される態様として台座Ｔに固定される。上方に臨むこととなるパッキン収納孔部８ｂ内のパッキン４は、上側からパッキン押さえ９があてがわれることでその位置が保持される。パッキン押さえ９は、例えば軸受部材８に植設したボルト１０にナット１１を締め付ける態様で軸受部材８に締め付け固定される。なお、図ではパッキン４を３層構造とした場合を示している。
【００１４】
このように、軸受部材８を地上（台座Ｔ）に設置する構成とすることで、筐体２の内部における軸受部材８の取り付け構造が簡単となり、開閉機１の組み付け性に優れた気密構造となる。また、パッキン４の据え付け等に際し、作業者は下向きの姿勢で行えるので作業性がより向上する。
【００１５】
以上、本発明について好適な実施形態を説明したが、各構成要素に関するレイアウトや形状、個数等について図面に記載したものに限定されることなく、その趣旨を逸脱しない範囲で適宜に設計変更が可能である。
【図面の簡単な説明】
【００１６】
【図１】本発明の気密構造を適用したゲートの開閉機の側断面説明図である。
【図２】本発明の気密構造におけるパッキン周りの詳細説明図である。
【符号の説明】
【００１７】
Ｇ      ゲート
１      開閉機
２      筐体
３      ねじ棒
３ａ    ねじ部
４      パッキン
５      送りねじ機構
７      点検窓
８      軸受部材
【図１】
2005314892.tif 000003
【図２】
2005314892.tif 000004